(57)【要約】  外力が加わっても変形のしにくいカバー先端部を持つバリアユニットを提供する。  バリアユニットには、第１の開口部を有する基盤と、第２の開口部を有し、第２の開口部が第１の開口部と対向するよう配置されるカバーと、基盤とカバーとの間に設けられ、第１の開口部および第２の開口部に対して開閉自在に設けられた少なくとも１つの羽根とが備えられている。少なくとも１つの羽根と対向するカバーの面のうち、第２の開口部の周囲には切り欠き部が設けられている。
2009098906.tif 000002
【特許請求の範囲】
【請求項１】
第１の開口部を有する基盤と、
第２の開口部を有し、前記第２の開口部が前記第１の開口部と対向するよう配置されるカバーと、
前記基盤と前記カバーとの間に設けられ、前記第１の開口部および前記第２の開口部に対して開閉自在に設けられた少なくとも１つの羽根と
を備えたバリアユニットであって、
前記少なくとも１つの羽根と対向する前記カバーの面のうち、前記第２の開口部の周囲には切り欠き部が設けられている、バリアユニット。
【請求項２】
前記カバーが前記少なくとも１つの羽根に対向する面を基準面とし、前記基準面に垂直な方向に関する前記切り欠き部の高さをａとし、前記基準面と平行な方向に関する前記切り欠き部の奥行きをｂとしたとき、０．１＜（ａ／ｂ）＜５の関係が成り立つ、請求項１に記載のバリアユニット。
【請求項３】
前記基準面と前記少なくとも１つの羽根との間には、設計上定められた間隙が設けられており、
前記第２の開口部の周囲では、前記間隙および前記切り欠き部の高さａの合計値に相当する距離だけ、前記少なくとも１つの羽根と前記切り欠き部の上端とが離れている、請求項２に記載のバリアユニット。
【請求項４】
前記カバーが前記少なくとも１つの羽根に対向する面を基準面としたとき、
前記カバーは、前記第２の開口部の周囲において、前記基準面に対して９０度未満の第１の角度を持つ第１の傾斜部と、前記第１の傾斜部から前記第２の開口部に向かって延びるように設けられ、前記第１の角度よりも大きくかつ前記基準面に対して９０度未満の第２の角度を持つ第２の傾斜部と
を有する、請求項１に記載のバリアユニット。
【請求項５】
第１の開口部を有する基盤と、
第２の開口部を有し、前記第２の開口部が前記第１の開口部と対向するよう配置されるカバーと、
前記基盤と前記カバーとの間に設けられ、前記第１の開口部および前記第２の開口部に対して開閉自在に設けられた少なくとも１つの羽根と
を備えたバリアユニットであって、
前記カバーが前記少なくとも１つの羽根に対向する面を基準面としたとき、前記カバーは、前記第２の開口部の周囲において、前記基準面に対して９０度未満の第１の角度を持つ第１の傾斜部と、前記第１の傾斜部から前記第２の開口部に向かって延びるように設けられ、前記第１の角度よりも大きくかつ前記基準面に対して９０度未満の第２の角度を持つ第２の傾斜部と
を有する、バリアユニット。
【発明の詳細な説明】
【技術分野】
【０００１】
本発明は、スティルカメラやビデオムービーカメラのレンズ等を保護するために、レンズ前面で開閉されるバリアユニットに関する。
【背景技術】
【０００２】
特許文献１は、従来のバリアユニットを開示する。たとえば図６は、特許文献１のバリアユニット１０１の断面図である。【０００３】
前端板部１０１Ａの中心にはレンズ１０９に対する光路を形成する開口１０１ａが設けられ、前端板部１０１Ａの前方位置に配置されたバリア羽根１０４が開口１０１ａを開閉する。バリア羽根１０４が開いているとき、シャッター地板１１０に沿ってシャッターが開閉し、撮影が行われる。【０００４】
バリアユニット１０１は、バリア羽根１０４の全開時と全閉時において光が入射してくる方向に向かってバリア羽根駆動リング１０２が前進する。これにより、全開時と全閉時にはバリア羽根１０４はバリア保護カバー１０８に押し付けられるので、バリア羽根１０４とバリア保護カバー１０８との間に砂等の異物が入りにくくなる。
【特許文献１】特開平９−６１８８７号公報
【発明の開示】
【発明が解決しようとする課題】
【０００５】
バリアユニット１０１では、バリア保護カバー１０８の先端部分１０８ａはバリア羽根１０４に対して鋭角状に形成されている。その理由は、バリア保護カバー１０８が、レンズ１０９に入射する光線の光路を遮ることのないようにするためである。しかしながら、その結果先端部分１０８ａの厚さが十分確保できず、使用時に外力を受けると先端部分１０８ａは容易に変形してしまう。【０００６】
バリアユニット１０１では、バリア羽根１０４の開閉動作時に、バリア保護カバー１０８とバリア羽根１０４との間隙に砂等の異物が入らなくするため、一般にバリア羽根１０４とバリア保護カバー１０８との間隙は、できる限り小さくなるよう設計されている。そのため、バリア保護カバーの先端部分１０８ａが変形すると、その変形によってバリア羽根１０４とバリア保護カバー１０８との間隙がなくなってしまい、バリア羽根１０４の開閉動作を阻害する。【０００７】
また、カバーの開口部周辺は、反射光のレンズへの入射を防ぐため、鋭角度の傾斜を有するように設定されており、そのため外力により容易に変形しやすく、それによって羽根の開閉動作が阻害されやすいという課題を有していた。【０００８】
本発明は上記従来の問題点を解決するためになされたものであり、その目的は、外力が加わっても変形のしにくいカバー先端部を持つバリアユニットを提供することである。
【課題を解決するための手段】
【０００９】
本発明によるバリアユニットは、第１の開口部を有する基盤と、第２の開口部を有し、前記第２の開口部が前記第１の開口部と対向するよう配置されるカバーと、前記基盤と前記カバーとの間に設けられ、前記第１の開口部および前記第２の開口部に対して開閉自在に設けられた少なくとも１つの羽根とを備えたバリアユニットであって、前記少なくとも１つの羽根と対向する前記カバーの面のうち、前記第２の開口部の周囲には切り欠き部が設けられている。【００１０】
前記カバーが前記少なくとも１つの羽根に対向する面を基準面とし、前記基準面に垂直な方向に関する前記切り欠き部の高さをａとし、前記基準面と平行な方向に関する前記切り欠き部の奥行きをｂとしたとき、０．１＜（ａ／ｂ）＜５の関係が成り立ってもよい。【００１１】
前記基準面と前記少なくとも１つの羽根との間には、設計上定められた間隙が設けられており、前記第２の開口部の周囲では、前記間隙および前記切り欠き部の高さａの合計値に相当する距離だけ、前記少なくとも１つの羽根と前記切り欠き部の上端とが離れていてもよい。【００１２】
前記カバーが前記少なくとも１つの羽根に対向する面を基準面としたとき、前記カバーは、前記第２の開口部の周囲において、前記基準面に対して９０度未満の第１の角度を持つ第１の傾斜部と、前記第１の傾斜部から前記第２の開口部に向かって延びるように設けられ、前記第１の角度よりも大きくかつ前記基準面に対して９０度未満の第２の角度を持つ第２の傾斜部とを有していてもよい。【００１３】
本発明によるバリアユニットは、第１の開口部を有する基盤と、第２の開口部を有し、前記第２の開口部が前記第１の開口部と対向するよう配置されるカバーと、前記基盤と前記カバーとの間に設けられ、前記第１の開口部および前記第２の開口部に対して開閉自在に設けられた少なくとも１つの羽根とを備えたバリアユニットであって、前記カバーが前記少なくとも１つの羽根に対向する面を基準面としたとき、前記カバーは、前記第２の開口部の周囲において、前記基準面に対して９０度未満の第１の角度を持つ第１の傾斜部と、前記第１の傾斜部から前記第２の開口部に向かって延びるように設けられ、前記第１の角度よりも大きくかつ前記基準面に対して９０度未満の第２の角度を持つ第２の傾斜部とを有している。
【発明の効果】
【００１４】
本発明のバリアユニットには、カバーの開口部の周辺端部において所定の切り欠き部が設けられる。これにより、バリアユニットのカバーに何らかの外力が加わり、その先端部が変形した時でも、先端部に設けた切り欠き部により羽根とカバーとの間隙を確保することにより、羽根の開閉動作を阻害することがない。【００１５】
また、本発明の他のバリアユニットには、カバーの開口部の周辺部において９０度未満の第１の角度を持つ第１の傾斜部が設けられ、第１の傾斜部の先端部には、前記第１の角度よりも大きく、かつ９０度未満の第２の角度を持つ第２の傾斜部が設けられている。開口部付近の先端部にそれ以外よりも大きい角度を有する傾斜部を設けることにより、外力が加わっても変形のしにくいカバー先端部を持つバリアユニットを得ることができる。
【図面の簡単な説明】
【００１６】
【図１】バリアユニット５０の部品構成を表す上面斜視図である。
【図２】バリアユニット５０の部品構成を表す下面斜視図である。
【図３】バリアユニット５０のカバー先端部の拡大詳細図である。
【図４】バリアユニット５０のカバー１が変形したときのカバー先端部の拡大詳細図である。
【図５】切り欠き部１ａの拡大図である。
【図６】特許文献１のバリアユニット１０１の断面図である。
【符号の説明】
【００１７】
１  カバー
１ａ  切り欠き部
１ｂ  第１の傾斜部
１ｃ  第２の傾斜部
２  第１の羽根
３  第２の羽根
４  基盤
【発明を実施するための最良の形態】
【００１８】
以下、添付の図面を参照しながら、本発明によるバリアユニットの実施形態を説明する。【００１９】
図１は、本発明のバリアユニット５０の部品構成を表す上面斜視図であり、図２は本発明のバリアユニット５０の部品構成を表す下面斜視図である。【００２０】
図１および図２において、バリアユニット５０は、カバー１と、第１の羽根２と、第２の羽根３と、基盤４と、第１のリング５と、第２のリング６と、第１のバネ７と、第２のバネ８とを有している。【００２１】
第１及び第２の羽根２，３は、回転穴１５，１６によって基盤４上の軸９，１０に回転自在に取り付けられている。カバー１は、カバー１に一体に弾性的に設けられたフック１１が基盤４に設けられたフックストッパー１２に係合することよって、第１、第２の羽根２，３を回動自在に所定の間隙をもってその間に挟み込んで基盤４と一体に取り付けられる。【００２２】
カバー１は、第１及び第２の羽根２および３が開いているときに、それらを保護するために設けられている。【００２３】
カバー１には開口部１３が設けられている。第１及び第２のリング５，６は、基盤４の円筒部１４に回転自在に取り付けられる。第１のリング５に設けられたカムピン１９，２０は、第１及び第２の羽根に設けられた長穴１７，１８に係合し、羽根を回転駆動する。【００２４】
第１のバネ７は、第１のリング５のバネかけ部２１と第２のリング６のバネかけ部２２に張架される。第２のバネ８は、第２のリング６のバネかけ部２３と基盤４のバネかけ部２４に張架される。【００２５】
第２のリング６にはリング凸部２５ａが設けられている。リング凸部２５ａは第１のリング５の切り欠き部２６ａに挿入されて、組み立てられる。【００２６】
基盤４には開口部２７（図２）が設けられている。基盤４はカバー１と対向して設けられる。このとき、被写体像が、基盤４の開口部２７およびカバー１の開口部１３を通過するよう、開口部２７および開口部１３も対向して設けられる。これにより、被写体像をレンズに導くための光路が形成される。【００２７】
第２のリング６にはカム部２８が設けられており、図示されない駆動手段によって、カム部２８が付勢されることによって、第１、第２の羽根２，３が閉方向（Ｂ方向）に、第２のリング６が駆動される。【００２８】
第１のバネ７によって第１、第２のリング５，６は一体となっている。第２のリング６が閉方向（Ｂ方向）にカム部２８によって駆動され、第１、第２の羽根２，３が閉じた後、さらに余裕をもって第２のリング６が閉方向に回転駆動させられた時、第１のバネ７は伸びて、第２のリング６の第１のリング５に対する行き過ぎを回避する。【００２９】
第２のバネ８によって、第２のリング６が開方向に付勢され、リング凸部２５ａおよび切り欠き部２６ａを介して第１のリング５が駆動される。カムピン１９は、長穴１７を介して、第１の羽根２を開方向に付勢する。第１の羽根２は、ストッパー２９に押し付けられ、当接して止まる。【００３０】
図３は、バリアユニット５０のカバー先端部の拡大詳細図である。【００３１】
図３には、カバー１と、第１及び第２の羽根２，３と、基盤４とが示されている。第１及び第２の羽根２，３は、カバー１と基盤４との間に設けられ、カバー１および基盤４に沿って開閉する。カバー１と第１及び第２の羽根２，３との間、および、第１及び第２の羽根２，３と基盤４との間には、羽根が開閉動作をするための間隙１ｄが設けられている。【００３２】
本実施形態のバリアユニット５０の特徴のひとつは、カバー１の先端部に切り欠き部１ａが設けられていることにある。切り欠き部１ａは、たとえば、カバー１の開口部１３に沿って１周にわたって設けられている。この結果、カバー１の開口部１３の周囲では、上述の間隙１ｄおよび切り欠き部１ａの高さ（後述する図５の「ａ」の距離）の合計値に相当する距離だけ、第１及び第２の羽根２，３と、切り欠き部１ａの上端とが離れている。【００３３】
なお、切り欠き部１ａは、カバー１の開口部１３の一部、より具体的には、第１及び第２の羽根２，３が開閉動作する際に通過する箇所にのみ設けられていてもよい。【００３４】
カバー１の開口部１３には、異なる角度で傾斜する２つの傾斜部が設けられている。すなわち、第１の傾斜部１ｂ、および、第２の傾斜部１ｃである。カバー１の底面（カバー１が第１及び第２の羽根２，３に対向する側の面）を基準面としたとき、第１の傾斜部１ｂは、当該基準面に対して角度θ１で傾斜し、第２の傾斜部１ｃは、当該基準面に対して角度θ２で傾斜する。角度θ１およびθ２の関係は以下のとおりである。
θ１＜９０度
θ２＜９０度
θ１＜θ２【００３５】
次に、図４を参照しながら、切り欠き部１ａおよび上述の関係を持つ傾斜部１ｂおよび１ｃを設けることによる利点を説明する。【００３６】
図４は、バリアユニット５０のカバー１が変形したときのカバー先端部の拡大詳細図である。図４には、外力によって変形したカバー先端部１ｅが示されている。本実施形態においては、切り欠き部１ａが設けられていることにより、変形したカバー先端部１ｅが第１及び第２の羽根２，３に接触することはない。これにより、第１及び第２の羽根２，３が動作するために必要な間隙１ｄは確保され、第１及び第２の羽根２，３の開閉に支障をきたすことはない。【００３７】
また、羽根端端部には、θ２の角度を持つ第２の傾斜部１ｃが設けられているため、外力に対して変形しにくい。また、θ２は９０度ではないため、図３に示される反射光１ｆによるフレア現象を発生することもない。よって、レンズの光学性能に悪影響を与えることはない。【００３８】
なお、切り欠き部１ａを設け、かつ、傾斜部１ｂおよび１ｃを設けることは必須ではない。いずれか１つを設ければよい。その理由は、切り欠き部１ａを設けなくても、傾斜部１ｂおよび１ｃを設けることにより、カバー１の開口部１３の周囲は、外力が加わっても変形しにくくなるためである。【００３９】
図５は、切り欠き部１ａの拡大図である。【００４０】
いま、図示されるように、切り欠き部１ａの高さａおよび奥行きｂをとる。高さａは上述の基準面に垂直な方向（光路方向）に沿って計測した、切り欠き部１ａの上端までの距離である。奥行きｂは、カバー１の開口部１３から上述の基準面と平行な方向に沿って計測した、切り欠き部１ａの奥までの距離である。【００４１】
このとき、高さａおよび奥行きｂは、以下の関係を有することが好ましい。
０．１＜（ａ／ｂ）＜５【００４２】
その理由は以下のとおりである。【００４３】
上述のように、切り欠き部１ａを設けると、変形したカバー先端部１ｅが第１及び第２の羽根２，３に接触することはなくなる。しかしながら、たとえば奥行きｂに対して高さａが必要以上に大きいと、光が切り欠き部１ａの奥にまで入射することになる。これでは、レンズに入射する光学条件が変動し、フレア現象を引き起こす可能性がある。さらに、カバー１と第１及び第２の羽根２，３との間の空隙が非常に大きく見えるため、見栄えが悪くなる。よって、切り欠き部１ａの奥行きｂとの関係では、切り欠き部１ａの高さａが必要以上に大きいことは好ましくない。【００４４】
一方、高さａに対して奥行きｂが必要以上に大きいと、変形したカバー先端部１ｅが第１及び第２の羽根２，３に接触しやすくなるという問題がある。図３に示す第１及び第２の羽根２，３は、図面右側（第１及び第２の羽根２，３が収納される方向）にその動きを規制するレール（図示せず）が設けられている。このレールが支点となって、第１及び第２の羽根２，３が開閉運動を行う。このとき、切り欠き部１ａの奥行きｂが大きいと、支点がより奥の方に位置することになり、第１及び第２の羽根２，３が何らかの理由で少し傾いただけでも、変形したカバー先端部１ｅと接触する可能性がある。よって、切り欠き部１ａの高さａとの関係では、切り欠き部１ａの奥行きｂが必要以上に大きいことは好ましくない。【００４５】
これらの理由を総合すると、切り欠き部１ａの高さａおよび奥行きｂは上述の関係を有する範囲で設けられることが好ましい。【００４６】
なお、上述の説明では、２つの羽根（第１及び第２の羽根２，３）を例に挙げたが、その数は、１つでもよいし３つ以上でもよい。羽根は少なくとも１つ以上存在すればよい。開口部を開閉可能な羽根が存在していれば、カバー１の先端が変形したとき、切り欠き部１ａは有効に機能する。
【産業上の利用可能性】
【００４７】
本発明は、スティルカメラやビデオムービーカメラのレンズ等を保護するために、レンズ前面で開閉されるバリアユニットに関する。バリアユニットのカバーに何らかの外力が加わり、その先端部が変形した時でも、先端部に設けた切り欠き部により羽根とカバーとの間隙を確保することにより、羽根の開閉動作を阻害することがなく、また、先端部にそれ以外よりも大きい角度を有する傾斜部を設けることにより、外力が加わっても変形のしにくいカバー先端部を持つ、堅牢で信頼性の高いバリアユニットを実現する。
【図１】
2009098906.tif 000003
【図２】
2009098906.tif 000004
【図３】
2009098906.tif 000005
【図４】
2009098906.tif 000006
【図５】
2009098906.tif 000007
【図６】
2009098906.tif 000008
【手続補正書】
【提出日】平成22年8月4日(2010.8.4)
【手続補正１】
【補正対象書類名】明細書
【補正対象項目名】全文
【補正方法】変更
【補正の内容】
【発明の詳細な説明】
【技術分野】
【０００１】
本発明は、スティルカメラやビデオムービーカメラのレンズ等を保護するために、レンズ前面で開閉されるバリアユニットに関する。
【背景技術】
【０００２】
特許文献１は、従来のバリアユニットを開示する。たとえば図６は、特許文献１のバリアユニット１０１の断面図である。
【０００３】
前端板部１０１Ａの中心にはレンズ１０９に対する光路を形成する開口１０１ａが設けられ、前端板部１０１Ａの前方位置に配置されたバリア羽根１０４が開口１０１ａを開閉する。バリア羽根１０４が開いているとき、シャッター地板１１０に沿ってシャッターが開閉し、撮影が行われる。
【０００４】
バリアユニット１０１は、バリア羽根１０４の全開時と全閉時において光が入射してくる方向に向かってバリア羽根駆動リング１０２が前進する。これにより、全開時と全閉時にはバリア羽根１０４はバリア保護カバー１０８に押し付けられるので、バリア羽根１０４とバリア保護カバー１０８との間に砂等の異物が入りにくくなる。
【先行技術文献】
【特許文献】
【０００５】
【特許文献１】特開平９−６１８８７号公報
【発明の概要】
【発明が解決しようとする課題】
【０００６】
バリアユニット１０１では、バリア保護カバー１０８の先端部分１０８ａはバリア羽根１０４に対して鋭角状に形成されている。その理由は、バリア保護カバー１０８が、レンズ１０９に入射する光線の光路を遮ることのないようにするためである。しかしながら、その結果先端部分１０８ａの厚さが十分確保できず、使用時に外力を受けると先端部分１０８ａは容易に変形してしまう。
【０００７】
バリアユニット１０１では、バリア羽根１０４の開閉動作時に、バリア保護カバー１０８とバリア羽根１０４との間隙に砂等の異物が入らなくするため、一般にバリア羽根１０４とバリア保護カバー１０８との間隙は、できる限り小さくなるよう設計されている。そのため、バリア保護カバーの先端部分１０８ａが変形すると、その変形によってバリア羽根１０４とバリア保護カバー１０８との間隙がなくなってしまい、バリア羽根１０４の開閉動作を阻害する。
【０００８】
また、カバーの開口部周辺は、反射光のレンズへの入射を防ぐため、鋭角度の傾斜を有するように設定されており、そのため外力により容易に変形しやすく、それによって羽根の開閉動作が阻害されやすいという課題を有していた。
【０００９】
本発明は上記従来の問題点を解決するためになされたものであり、その目的は、外力が加わっても変形のしにくいカバー先端部を持つバリアユニットを提供することである。
【課題を解決するための手段】
【００１０】
本発明によるバリアユニットは、第１の開口部を有する基盤と、第２の開口部を有し、前記第２の開口部が前記第１の開口部と対向するよう配置されるカバーと、前記基盤と前記カバーとの間に設けられ、前記第１の開口部および前記第２の開口部に対して開閉自在に設けられた少なくとも１つの羽根とを備えたバリアユニットであって、前記少なくとも１つの羽根と対向する前記カバーの面のうち、前記第２の開口部の周囲には切り欠き部が設けられている。
【００１１】
前記カバーが前記少なくとも１つの羽根に対向する面を基準面とし、前記基準面に垂直な方向に関する前記切り欠き部の高さをａとし、前記基準面と平行な方向に関する前記切り欠き部の奥行きをｂとしたとき、０．１＜（ａ／ｂ）＜５の関係が成り立ってもよい。
【００１２】
前記基準面と前記少なくとも１つの羽根との間には、設計上定められた間隙が設けられており、前記第２の開口部の周囲では、前記間隙および前記切り欠き部の高さａの合計値に相当する距離だけ、前記少なくとも１つの羽根と前記切り欠き部の上端とが離れていてもよい。
【００１３】
前記カバーが前記少なくとも１つの羽根に対向する面を基準面としたとき、前記カバーは、前記第２の開口部の周囲において、前記基準面に対して９０度未満の第１の角度を持つ第１の傾斜部と、前記第１の傾斜部から前記第２の開口部に向かって延びるように設けられ、前記第１の角度よりも大きくかつ前記基準面に対して９０度未満の第２の角度を持つ第２の傾斜部とを有していてもよい。
【００１４】
本発明によるバリアユニットは、第１の開口部を有する基盤と、第２の開口部を有し、前記第２の開口部が前記第１の開口部と対向するよう配置されるカバーと、前記基盤と前記カバーとの間に設けられ、前記第１の開口部および前記第２の開口部に対して開閉自在に設けられた少なくとも１つの羽根とを備えたバリアユニットであって、前記カバーが前記少なくとも１つの羽根に対向する面を基準面としたとき、前記カバーは、前記第２の開口部の周囲において、前記基準面に対して９０度未満の第１の角度を持つ第１の傾斜部と、前記第１の傾斜部から前記第２の開口部に向かって延びるように設けられ、前記第１の角度よりも大きくかつ前記基準面に対して９０度未満の第２の角度を持つ第２の傾斜部とを有している。
【発明の効果】
【００１５】
本発明のバリアユニットには、カバーの開口部の周辺端部において所定の切り欠き部が設けられる。これにより、バリアユニットのカバーに何らかの外力が加わり、その先端部が変形した時でも、先端部に設けた切り欠き部により羽根とカバーとの間隙を確保することにより、羽根の開閉動作を阻害することがない。
【００１６】
また、本発明の他のバリアユニットには、カバーの開口部の周辺部において９０度未満の第１の角度を持つ第１の傾斜部が設けられ、第１の傾斜部の先端部には、前記第１の角度よりも大きく、かつ９０度未満の第２の角度を持つ第２の傾斜部が設けられている。開口部付近の先端部にそれ以外よりも大きい角度を有する傾斜部を設けることにより、外力が加わっても変形のしにくいカバー先端部を持つバリアユニットを得ることができる。
【図面の簡単な説明】
【００１７】
【図１】バリアユニット５０の部品構成を表す上面斜視図である。
【図２】バリアユニット５０の部品構成を表す下面斜視図である。
【図３】バリアユニット５０のカバー先端部の拡大詳細図である。
【図４】バリアユニット５０のカバー１が変形したときのカバー先端部の拡大詳細図である。
【図５】切り欠き部１ａの拡大図である。
【図６】特許文献１のバリアユニット１０１の断面図である。
【発明を実施するための形態】
【００１８】
以下、添付の図面を参照しながら、本発明によるバリアユニットの実施形態を説明する。
【００１９】
図１は、本発明のバリアユニット５０の部品構成を表す上面斜視図であり、図２は本発明のバリアユニット５０の部品構成を表す下面斜視図である。
【００２０】
図１および図２において、バリアユニット５０は、カバー１と、第１の羽根２と、第２の羽根３と、基盤４と、第１のリング５と、第２のリング６と、第１のバネ７と、第２のバネ８とを有している。
【００２１】
第１及び第２の羽根２，３は、回転穴１５，１６によって基盤４上の軸９，１０に回転自在に取り付けられている。カバー１は、カバー１に一体に弾性的に設けられたフック１１が基盤４に設けられたフックストッパー１２に係合することよって、第１、第２の羽根２，３を回動自在に所定の間隙をもってその間に挟み込んで基盤４と一体に取り付けられる。
【００２２】
カバー１は、第１及び第２の羽根２および３が開いているときに、それらを保護するために設けられている。
【００２３】
カバー１には開口部１３が設けられている。第１及び第２のリング５，６は、基盤４の円筒部１４に回転自在に取り付けられる。第１のリング５に設けられたカムピン１９，２０は、第１及び第２の羽根に設けられた長穴１７，１８に係合し、羽根を回転駆動する。
【００２４】
第１のバネ７は、第１のリング５のバネかけ部２１と第２のリング６のバネかけ部２２に張架される。第２のバネ８は、第２のリング６のバネかけ部２３と基盤４のバネかけ部２４に張架される。
【００２５】
第２のリング６にはリング凸部２５ａが設けられている。リング凸部２５ａは第１のリング５の切り欠き部２６ａに挿入されて、組み立てられる。
【００２６】
基盤４には開口部２７（図２）が設けられている。基盤４はカバー１と対向して設けられる。このとき、被写体像が、基盤４の開口部２７およびカバー１の開口部１３を通過するよう、開口部２７および開口部１３も対向して設けられる。これにより、被写体像をレンズに導くための光路が形成される。
【００２７】
第２のリング６にはカム部２８が設けられており、図示されない駆動手段によって、カム部２８が付勢されることによって、第１、第２の羽根２，３が閉方向（Ｂ方向）に、第２のリング６が駆動される。
【００２８】
第１のバネ７によって第１、第２のリング５，６は一体となっている。第２のリング６が閉方向（Ｂ方向）にカム部２８によって駆動され、第１、第２の羽根２，３が閉じた後、さらに余裕をもって第２のリング６が閉方向に回転駆動させられた時、第１のバネ７は伸びて、第２のリング６の第１のリング５に対する行き過ぎを回避する。
【００２９】
第２のバネ８によって、第２のリング６が開方向に付勢され、リング凸部２５ａおよび切り欠き部２６ａを介して第１のリング５が駆動される。カムピン１９は、長穴１７を介して、第１の羽根２を開方向に付勢する。第１の羽根２は、ストッパー２９に押し付けられ、当接して止まる。
【００３０】
図３は、バリアユニット５０のカバー先端部の拡大詳細図である。
【００３１】
図３には、カバー１と、第１及び第２の羽根２，３と、基盤４とが示されている。第１及び第２の羽根２，３は、カバー１と基盤４との間に設けられ、カバー１および基盤４に沿って開閉する。カバー１と第１及び第２の羽根２，３との間、および、第１及び第２の羽根２，３と基盤４との間には、羽根が開閉動作をするための間隙１ｄが設けられている。
【００３２】
本実施形態のバリアユニット５０の特徴のひとつは、カバー１の先端部に切り欠き部１ａが設けられていることにある。切り欠き部１ａは、たとえば、カバー１の開口部１３に沿って１周にわたって設けられている。この結果、カバー１の開口部１３の周囲では、上述の間隙１ｄおよび切り欠き部１ａの高さ（後述する図５の「ａ」の距離）の合計値に相当する距離だけ、第１及び第２の羽根２，３と、切り欠き部１ａの上端とが離れている。
【００３３】
なお、切り欠き部１ａは、カバー１の開口部１３の一部、より具体的には、第１及び第２の羽根２，３が開閉動作する際に通過する箇所にのみ設けられていてもよい。
【００３４】
カバー１の開口部１３には、異なる角度で傾斜する２つの傾斜部が設けられている。すなわち、第１の傾斜部１ｂ、および、第２の傾斜部１ｃである。カバー１の底面（カバー１が第１及び第２の羽根２，３に対向する側の面）を基準面としたとき、第１の傾斜部１ｂは、当該基準面に対して角度θ１で傾斜し、第２の傾斜部１ｃは、当該基準面に対して角度θ２で傾斜する。角度θ１およびθ２の関係は以下のとおりである。
θ１＜９０度
θ２＜９０度
θ１＜θ２
【００３５】
次に、図４を参照しながら、切り欠き部１ａおよび上述の関係を持つ傾斜部１ｂおよび１ｃを設けることによる利点を説明する。
【００３６】
図４は、バリアユニット５０のカバー１が変形したときのカバー先端部の拡大詳細図である。図４には、外力によって変形したカバー先端部１ｅが示されている。本実施形態においては、切り欠き部１ａが設けられていることにより、変形したカバー先端部１ｅが第１及び第２の羽根２，３に接触することはない。これにより、第１及び第２の羽根２，３が動作するために必要な間隙１ｄは確保され、第１及び第２の羽根２，３の開閉に支障をきたすことはない。
【００３７】
また、羽根端端部には、θ２の角度を持つ第２の傾斜部１ｃが設けられているため、外力に対して変形しにくい。また、θ２は９０度ではないため、図３に示される反射光１ｆによるフレア現象を発生することもない。よって、レンズの光学性能に悪影響を与えることはない。
【００３８】
なお、切り欠き部１ａを設け、かつ、傾斜部１ｂおよび１ｃを設けることは必須ではない。いずれか１つを設ければよい。その理由は、切り欠き部１ａを設けなくても、傾斜部１ｂおよび１ｃを設けることにより、カバー１の開口部１３の周囲は、外力が加わっても変形しにくくなるためである。
【００３９】
図５は、切り欠き部１ａの拡大図である。
【００４０】
いま、図示されるように、切り欠き部１ａの高さａおよび奥行きｂをとる。高さａは上述の基準面に垂直な方向（光路方向）に沿って計測した、切り欠き部１ａの上端までの距離である。奥行きｂは、カバー１の開口部１３から上述の基準面と平行な方向に沿って計測した、切り欠き部１ａの奥までの距離である。
【００４１】
このとき、高さａおよび奥行きｂは、以下の関係を有することが好ましい。
０．１＜（ａ／ｂ）＜５
【００４２】
その理由は以下のとおりである。
【００４３】
上述のように、切り欠き部１ａを設けると、変形したカバー先端部１ｅが第１及び第２の羽根２，３に接触することはなくなる。しかしながら、たとえば奥行きｂに対して高さａが必要以上に大きいと、光が切り欠き部１ａの奥にまで入射することになる。これでは、レンズに入射する光学条件が変動し、フレア現象を引き起こす可能性がある。さらに、カバー１と第１及び第２の羽根２，３との間の空隙が非常に大きく見えるため、見栄えが悪くなる。よって、切り欠き部１ａの奥行きｂとの関係では、切り欠き部１ａの高さａが必要以上に大きいことは好ましくない。
【００４４】
一方、高さａに対して奥行きｂが必要以上に大きいと、変形したカバー先端部１ｅが第１及び第２の羽根２，３に接触しやすくなるという問題がある。図３に示す第１及び第２の羽根２，３は、図面右側（第１及び第２の羽根２，３が収納される方向）にその動きを規制するレール（図示せず）が設けられている。このレールが支点となって、第１及び第２の羽根２，３が開閉運動を行う。このとき、切り欠き部１ａの奥行きｂが大きいと、支点がより奥の方に位置することになり、第１及び第２の羽根２，３が何らかの理由で少し傾いただけでも、変形したカバー先端部１ｅと接触する可能性がある。よって、切り欠き部１ａの高さａとの関係では、切り欠き部１ａの奥行きｂが必要以上に大きいことは好ましくない。
【００４５】
これらの理由を総合すると、切り欠き部１ａの高さａおよび奥行きｂは上述の関係を有する範囲で設けられることが好ましい。
【００４６】
なお、上述の説明では、２つの羽根（第１及び第２の羽根２，３）を例に挙げたが、その数は、１つでもよいし３つ以上でもよい。羽根は少なくとも１つ以上存在すればよい。開口部を開閉可能な羽根が存在していれば、カバー１の先端が変形したとき、切り欠き部１ａは有効に機能する。
【産業上の利用可能性】
【００４７】
本発明は、スティルカメラやビデオムービーカメラのレンズ等を保護するために、レンズ前面で開閉されるバリアユニットに関する。バリアユニットのカバーに何らかの外力が加わり、その先端部が変形した時でも、先端部に設けた切り欠き部により羽根とカバーとの間隙を確保することにより、羽根の開閉動作を阻害することがなく、また、先端部にそれ以外よりも大きい角度を有する傾斜部を設けることにより、外力が加わっても変形のしにくいカバー先端部を持つ、堅牢で信頼性の高いバリアユニットを実現する。
【符号の説明】
【００４８】
１  カバー
１ａ  切り欠き部
１ｂ  第１の傾斜部
１ｃ  第２の傾斜部
２  第１の羽根
３  第２の羽根
４  基盤
【手続補正２】
【補正対象書類名】特許請求の範囲
【補正対象項目名】全文
【補正方法】変更
【補正の内容】
【特許請求の範囲】
【請求項１】
第１の開口部を有する基盤と、
第２の開口部を有し、前記第２の開口部が前記第１の開口部と対向するよう配置されるカバーと、
前記基盤と前記カバーとの間に設けられ、前記第１の開口部および前記第２の開口部に対して開閉自在に設けられた少なくとも１つの羽根と
を備えたバリアユニットであって、
前記少なくとも１つの羽根と対向する前記カバーの面のうち、前記第２の開口部の周囲には切り欠き部が設けられており、
前記カバーが前記少なくとも１つの羽根に対向する面を基準面としたとき、
前記カバーは、前記第２の開口部の周囲において、前記基準面に対して９０度未満の第１の角度を持つ第１の傾斜部と、前記第１の傾斜部から前記第２の開口部に向かって延びるように設けられ、前記第１の角度よりも大きくかつ前記基準面に対して９０度未満の第２の角度を持つ第２の傾斜部と
を有する、
バリアユニット。
【請求項２】
前記カバーが前記少なくとも１つの羽根に対向する面を基準面とし、前記基準面に垂直な方向に関する前記切り欠き部の高さをａとし、前記基準面と平行な方向に関する前記切り欠き部の奥行きをｂとしたとき、０．１＜（ａ／ｂ）＜５の関係が成り立つ、請求項１に記載のバリアユニット。
【請求項３】
前記基準面と前記少なくとも１つの羽根との間には、設計上定められた間隙が設けられており、
前記第２の開口部の周囲では、前記間隙および前記切り欠き部の高さａの合計値に相当する距離だけ、前記少なくとも１つの羽根と前記切り欠き部の上端とが離れている、請求項２に記載のバリアユニット。
【請求項４】
第１の開口部を有する基盤と、
第２の開口部を有し、前記第２の開口部が前記第１の開口部と対向するよう配置されるカバーと、
前記基盤と前記カバーとの間に設けられ、前記第１の開口部および前記第２の開口部に対して開閉自在に設けられた少なくとも１つの羽根と
を備えたバリアユニットであって、
前記カバーが前記少なくとも１つの羽根に対向する面を基準面としたとき、前記カバーは、前記第２の開口部の周囲において、前記基準面に対して９０度未満の第１の角度を持つ第１の傾斜部と、前記第１の傾斜部から前記第２の開口部に向かって延びるように設けられ、前記第１の角度よりも大きくかつ前記基準面に対して９０度未満の第２の角度を持つ第２の傾斜部と
を有する、バリアユニット。
【手続補正３】
【補正対象書類名】図面
【補正対象項目名】全図
【補正方法】変更
【補正の内容】
【図１】
2009098906.tif 000009
【図２】
2009098906.tif 000010
【図３】
2009098906.tif 000011
【図４】
2009098906.tif 000012
【図５】
2009098906.tif 000013
【図６】
2009098906.tif 000014
【国際調査報告】
2009098906.tif 000015
2009098906.tif 000016
2009098906.tif 000017
2009098906.tif 000018
2009098906.tif 000019
2009098906.tif 000020